(57)【特許請求の範囲】
【請求項１】
電気錠の施解錠及び扉の開閉についての状態モニタを常時行いつつ、入力器によるデータ入力の有無を判別し、前記入力器によるデータ入力の有無に応じてレベルの異なる２種類の信号の一方の出力を要求する指令を出力する制御回路と、該制御回路から入力される指令に応じて前記レベルの異なる２種類の制御信号の一方を選択的に出力する出力回路とを有する電気錠制御器と、
前記制御信号のうち高レベルの制御信号による電力の供給を受けて施解錠を行うアクチュエーターと、接点の開閉により施解錠の状態に応じたモニタ信号を発生する施解錠モニタスイッチとを有する電気錠と、
扉枠に取り付けられる扉枠側ユニットと前記扉に取り付けられる扉側ユニットとに分離された通電構造とを具備し、
前記扉枠側ユニットは、
前記電気錠制御器の前記出力回路に結線された発振器と、該発振器に接続された送信用コイルとからなり、前記制御回路の指令により前記出力回路から送られてくる前記制御信号を前記発振器が交流に変換して前記送信用コイルから発振出力する信号送信手段と、
前記電気錠制御器の前記制御回路に結線され、前記扉側ユニットから送信される前記モニタ信号を受信するモニタ受信用コイルを有するモニタ信号受信手段とを具備し、
前記扉側ユニットは、
前記信号送信手段の前記送信用コイルに対向配置された受信用コイルからなり、前記送信用コイルとの電磁結合により該送信用コイルから誘導される前記制御信号を受信する信号受信手段と、
前記受信用コイルと前記アクチュエーターとの間に接続され、前記信号受信手段が受信した前記制御信号のレベルが所定レベル以上のときに前記アクチュエーターを駆動するための駆動信号を出力するレベル判定手段と、
前記受信用コイルの両端に接続された線路に前記施解錠モニタスイッチを介して結線されたモニタ送信用コイルからなり、前記施解錠モニタスイッチが閉状態のときに前記受信用コイルとの間にループ回路を形成して前記受信用コイルに誘導された前記制御信号により前記モニタ受信用コイルと電磁結合して前記モニタ信号を送信するモニタ信号送信手段とを具備したことを特徴とする電気錠制御装置。
【請求項２】
前記モニタ信号送信手段は、前記施解錠モニタスイッチが複数接続されたデータ変換器を備え、
前記送信用コイルから前記受信用コイルに誘導された前記電気錠制御器からの前記制御信号を直流化して電源とし、前記複数の施解錠モニタスイッチからの信号を前記データ変換器でシリアルデータに変換した後、前記受信用コイルに誘導される前記制御信号により前記モニタ受信用コイルと電磁結合して前記モニタ用送信コイルから送信することを特徴とする請求項１記載の電気錠制御装置。
【請求項３】
前記モニタ信号送信手段が前記モニタ送信用コイルに代えてフォトダイオードで構成され、前記モニタ信号受信手段が前記モニタ受信用コイルに代えてフォトトランジスタで構成されており、
前記モニタ送信用コイルと前記モニタ受信用コイルとの間の電磁結合に代えて前記フォトダイオードと前記フォトトランジスタとの間の光結合により前記モニタ信号の送受を行うことを特徴とする請求項１記載の電気錠制御装置。
【発明の詳細な説明】
【０００１】
【発明の属する技術分野】
本発明は、扉や引き戸などの開閉体に設けられた電気錠と、電気錠を制御する電気錠制御器との間の無配線化を図って電気錠の施解錠を制御する電気錠制御装置に関する。
【０００２】
【従来の技術】
一般的な電気錠システムは、扉側に取り付けられた電気錠と、入力操作により暗証番号を入力するための扉内又は扉外に設置されたスイッチ、テンキー等の入力器と、入力器から入力される暗証番号と予め設定された暗証番号と照合して一致したときに制御信号を出力して電気錠を施錠又は解錠制御する電気錠制御器から概略構成される。
【０００３】
ところで、上記構成による電気錠システムにおいて、扉に取り付けられた電気錠を電気錠制御器から出力される制御信号により動作させるには、電気錠と電気錠制御器との間を電気的に接続する必要がある。
【０００４】
そこで、従来、電気錠と電気錠制御器との間の電気的な接続には、周知の蝶番型や蛇腹型の通電金具が用いられていた。この種の通電金具は、防犯上、電線が外部にむき出しにならないように電線がカバーされた状態で扉と扉枠との間に設けられる。
【０００５】
更に説明すると、蝶番型の通電金具は、軸心と一対の翼部で略形成されており、軸心を中心に翼部が回動する。翼部の一方は扉枠に固定され、他方は扉に固定される。そして、電線は、各翼部及び軸心の内部を通り、電気錠制御器と電気錠との間を電気的に結線しており、外部に表出しないようになっている。
【０００６】
又、蛇腹型の通電金具は、金具本体が扉と扉枠とに分離されて組み込まれ、分離された扉側の金具本体と扉枠側の金具本体の内部を通る電線により電気錠制御器と電気錠との間が電気的に結線されている。その際、電線は、扉が開放している状態で表出し、扉が閉鎖している状態では表出しないようになっている。
【０００７】
しかしながら、上述した蝶番型、蛇腹型のいずれの通電金具も、扉と扉枠との間を電線が通っているため、長期間扉の開閉を行うと、金具本体との接触により電線が磨耗したり、扉の開閉に伴う電線自身の捩じれ等の症状により断線するおそれがある。
【０００８】
又、上述した蝶番型の通電金具は、扉枠に対して開閉可能に扉を支持するための蝶番とは別に、扉と扉枠との間に取り付けられる構成なので、外観寸法や色などが様々ある蝶番との意匠合わせが出来ておらず、美観を大きく損ねていた。これに対し、蛇腹型の通電金具は、閉扉時には問題ないが、開扉時には電線を覆う蛇腹部分が剥き出しになるため、蝶番型の通電金具と同様に美観を損ねるという問題があった。
【０００９】
そこで、上記問題点を解消するべく、電気錠と電気錠制御器との間の無配線化を図った装置として、実開平４−３４３７０号公報に開示される電気錠制御装置が知られている。
【００１０】
この電気錠制御装置は、図４に示すように、予め記憶されているデータと入力されたデータとが一致したときに解錠させるべく扉側に設けられた電気錠本体５１と、枠側コミニュケーションヘッド５２が埋設された扉枠側の室内コントロールボックス５３とを備えて概略構成されている。
【００１１】
室内コントロールボックス５３は、所定周波数の交番電流を生成して枠側コミニュケーションヘッド５２の電力供給用コイル５４に供給する交番発振器５５と、枠側コミニュケーションヘッド５２内に設けられた通信用送受信コイル５６及び通信線５７を介してセンタ側と連結される通信制御部５８とを備えている。枠側コミニュケーションヘッド５２と対向する扉側コミニュケーションヘッド５９には、電力供給用コイル５４と通信用送受信コイル５６に対向した位置に電力受信用コイル６０と通信用送受信コイル６１とが設けられている。電力受信用コイル６０は、整流回路６２及び抵抗６３を介して電気錠本体５１の制御部６４に所定の直流電源を供給するバッテリ６５に接続されている。
【００１２】
制御部６４は、例えばキーカードを使用したシステムの場合、キーカードのデータを読み取り、予め記録されたデータと照合して演算処理し、両データが一致したときに、ソレノイドを駆動して電気錠を施錠又は解錠している。又、制御部は、通信用送受信コイル５６、６１を介して通信制御部５８との間でデータの授受を行っている。
【００１３】
上記構成による電気錠制御装置では、扉が閉じられると、扉側コミニュケーションヘッド５９と枠側コミニュケーションヘッド５２が対向し、電力供給用コイル５４から発振された交番電流が電力受信用コイル６０によって受信される。この受信された交番電流は整流回路６２で整流された後、バッテリ６５に蓄電されるとともに制御部６４に供給される。
【００１４】
制御部６４は、例えばキーカードに記録されているデータを読み取り、その内容が予めメモリに記録されているデータと一致したときに、ソレノイドを駆動して電気錠を施錠又は解錠する。又、制御部６４は、自ら演算した結果と、センタ側から問い合わせがあったときの応答データを通信用送受信コイル５６、６１、通信制御部５８を介してセンタとの間で交信する。これにより、センタ側で扉の開閉状態の管理が行われ、扉が開放されているときは、センタ側からの問い合わせに対して所定の回答が無いことで開扉の検出がなされる。
【００１５】
【発明が解決しようとする課題】
しかしながら、図４に示す従来の電気錠制御装置では、以下に示すような問題点があった。
【００１６】
（１）扉内の電気錠本体５１に制御部６４が設けられるとともに、扉内の制御部６４とは別に扉外にも通信制御部５８が設けられ、扉枠及び扉の両方でデータ処理を行うための制御回路が必要なので、機器構成が複雑で高価である。
【００１７】
（２）扉内に制御部６４が必要なので、元来寸法的な余裕の無い扉への収納が困難であり、対象扉への制限が大きい。
【００１８】
（３）電気錠のみならず、制御器（制御部６４、通信制御部５８）まで扉内に取付を要するので、施工性が悪い。
【００１９】
そこで、本発明は、上記問題点に鑑みてなされたものであり、複雑なデータの処理回路を必要とせず、既製の電気錠をそのまま適用して電気錠制御器と電気錠との間の無配線化を図って電気錠の制御を行うことができる電気錠制御装置を提供することを目的としている。
【００２０】
【課題を解決するための手段】
次に、上記の課題を解決するための手段を、実施の形態に対応する図１を参照して説明する。
請求項１の発明は、電気錠１の施解錠及び扉の開閉についての状態モニタを常時行いつつ、入力器２によるデータ入力の有無を判別し、前記入力器２によるデータ入力の有無に応じてレベルの異なる２種類の信号の一方の出力を要求する指令を出力する制御回路８と、該制御回路８から入力される指令に応じて前記レベルの異なる２種類の制御信号の一方を選択的に出力する出力回路９とを有する電気錠制御器４と、
前記制御信号のうち高レベルの制御信号による電力の供給を受けて施解錠を行うアクチュエーター６と、接点の開閉により施解錠の状態に応じたモニタ信号を発生する施解錠モニタスイッチ７とを有する電気錠１と、
扉枠に取り付けられる扉枠側ユニット１２と前記扉に取り付けられる扉側ユニット１１とに分離された通電構造５とを具備し、
前記扉枠側ユニット１２は、
前記電気錠制御器４の前記出力回路９に結線された発振器１７と、該発振器１７に接続された送信用コイル２０とからなり、前記制御回路８の指令により前記出力回路９から送られてくる前記制御信号を前記発振器１７が交流に変換して前記送信用コイル２０から発振出力する信号送信手段と、
前記電気錠制御器４の前記制御回路８に結線され、前記扉側ユニット１１から送信される前記モニタ信号を受信するモニタ受信用コイルを有するモニタ信号受信手段２２とを具備し、
前記扉側ユニット１１は、
前記信号送信手段の前記送信用コイル２０に対向配置された受信用コイル１３からなり、前記送信用コイル２０との電磁結合により該送信用コイル２０から誘導される前記制御信号を受信する信号受信手段と、
前記受信用コイル１３と前記アクチュエーター６との間に接続され、前記信号受信手段が受信した前記制御信号のレベルが所定レベル以上のときに前記アクチュエーター６を駆動するための駆動信号を出力するレベル判定手段１４と、
前記受信用コイル１３の両端に接続された線路２１に前記施解錠モニタスイッチ７を介して結線されたモニタ送信用コイルからなり、前記施解錠モニタスイッチ７が閉状態のときに前記受信用コイル１３との間にループ回路を形成して前記受信用コイル１３に誘導された前記制御信号により前記モニタ受信用コイルと電磁結合して前記モニタ信号を送信するモニタ信号送信手段１５とを具備したことを特徴とする。
【００２１】
請求項２の発明は、請求項１の電気錠制御装置において、前記モニタ信号送信手段は、前記施解錠モニタスイッチ７が複数接続されたデータ変換器２６を備え、
前記送信用コイル２０から前記受信用コイル１３に誘導された前記電気錠制御器４からの前記制御信号を直流化して電源とし、前記複数の施解錠モニタスイッチ７からの信号を前記データ変換器２６でシリアルデータに変換した後、前記受信用コイル１３に誘導される前記制御信号により前記モニタ受信用コイルと電磁結合して前記モニタ用送信コイルから送信することを特徴とする。
【００２２】
請求項３の発明は、請求項１の電気錠制御装置において、前記モニタ信号送信手段１５が前記モニタ送信用コイルに代えてフォトダイオードで構成され、前記モニタ信号受信手段２２が前記モニタ受信用コイルに代えてフォトトランジスタで構成されており、
前記モニタ送信用コイルと前記モニタ受信用コイルとの間の電磁結合に代えて前記フォトダイオードと前記フォトトランジスタとの間の光結合により前記モニタ信号の送受を行うことを特徴とする。
【００２５】
【発明の実施の形態】
図１は本発明による電気錠制御装置の一実施の形態を示すブロック構成図である。
【００２６】
電気錠制御装置は、電気錠１と、入力器２と表示器３が接続された電気錠制御器４とを備え、電気錠１と電気錠制御器４との間を非接触型の通電ユニット５を介して通電することにより、電気錠制御器４による電気錠１の施解錠制御が行われる。
【００２７】
電気錠１は、扉に設けられ、アクチュエーター６、モニタ信号送信手段としての施解錠モニタスイッチ７を備えて構成される。アクチュエーター６は、例えばソレノイド、モータなどで構成され、電気錠制御器４から通電ユニット５を介して受信される駆動信号により、扉枠側のストライクに対するデッドボルトの移動を阻止又は解除している。
【００２８】
施解錠モニタスイッチ７は、後述する受信用コイル１３に線路２１を介して接続されており、電気錠１が施錠状態のときに接点が閉じ、電気錠１が解錠状態のときに接点が開く。
【００２９】
入力器２は、扉の外、例えば扉枠、室内外、扉近傍の壁面などに設けられ、電気錠制御器４に電気的に結線されている。入力器２は、電気錠１を施解錠（施錠又は解錠のみを含む）する際に直接操作者によって操作されるもので、例えばスイッチ、テンキー、カードリーダなどで構成される。
【００３０】
具体的には、入力器２がスイッチやテンキーで構成される場合、スイッチやテンキーを操作することにより、電気錠１を施解錠するためのデータとして例えば暗証番号が入力される。又、入力器２がカードリーダで構成される場合には、電気錠１の施解錠を許可するためのデータ、例えば暗証番号が予め記憶されたカードが挿入されると、このカードのデータをカードリーダで読み取る。この入力器２によるデータは、電気錠１を施解錠するための情報として電気錠制御器４に入力される。
【００３１】
電気錠制御器４は、扉の外、例えば扉枠、室内外、扉の近傍の壁面などに設けられ、制御回路８、出力回路９、表示出力回路１０を備えて構成される。
【００３２】
制御回路８は、通電ユニット５を介して送られてくるモニタ信号の有無により電気錠１の施解錠及び扉の開閉についての状態モニタを常時行いつつ、電気錠１を施解錠するための入力器２によるデータ入力の有無を判断している。
【００３３】
そして、制御回路８では、データ入力が有ると判断したときに、高レベルの信号の出力を要求する指令を出力回路９に出力している。これに対し、電気錠１を施解錠するための入力器２によるデータ入力が無いと判断したときには、低レベルの信号の出力を要求する指令を出力回路９に出力している。又、制御回路８は、入力器２によるデータ及びモニタ信号に基いて所望の表示を行うための指令を表示出力回路１０に出力している。
【００３４】
出力回路９は、制御回路８からの判断結果に基く指令により電気錠１を制御するべく、レベルの異なる２種類の制御信号のうち、高レベル（例えば２４Ｖ）の制御信号又は低レベル（例えば１５Ｖ）の制御信号を通電ユニット５に対して選択的に出力している。
【００３５】
表示出力回路１０は、制御回路８からの指令により、入力器２によるデータ及びモニタ信号に基く所望の表示を行うための表示制御信号を表示器３に出力している。
【００３６】
表示器３は、電気錠制御器４内の表示出力回路１０から入力される表示制御信号に基いて入力器２による例えば暗証番号の照合表示や電気錠及び扉の各種状態表示（施錠、解錠、閉扉など）を行っている。表示器３は、暗証番号の照合結果、電気錠１及び扉の動作状態を点灯により表示するランプ、暗証番号の照合結果、電気錠１及び扉の動作状態を文字情報として表示する液晶などの表示管で構成される。
【００３７】
例えば表示器３をランプで構成した場合には、照合結果表示用ランプ、施錠表示用ランプ、解錠表示用ランプ、閉扉表示用ランプが設けられる。そして、表示出力回路１０から入力される表示制御信号が「照合一致」を示すときには照合結果表示用ランプが、「施錠」を示すときには施錠表示用ランプが、「解錠」を示すときには解錠表示用ランプがそれぞれ点灯する。又、表示器３が液晶などの表示管で構成される場合には、表示制御信号が示す内容に応じて「照合一致」、「施錠状態」、「解錠状態」、「閉扉状態」のように、暗証番号の照合結果、電気錠１及び扉の動作状態を示す情報表示がなされる。
【００３８】
通電ユニット５は、電気錠１と電気錠制御器４との間に配設され、扉に設けられる扉側ユニット１１と、扉枠に設けられる扉枠側ユニット１２とに分離して構成される。
【００３９】
扉側ユニット１１には、信号受信手段としての受信用コイル１３と、レベル判定手段としてのレベル判定回路１４と、施解錠モニタスイッチ７に接続されるモニタ信号送信手段としてのモニタ送信用コイル１５とが配設されている。又、扉側ユニット１１における扉の錠フロントにはモニタ信号送信手段としての磁石１６が取り付けられている。
【００４０】
扉枠側ユニット１２には、電気錠制御器４の出力回路９に接続される信号送信手段としての発振器１７と、制御回路８に接続されるモニタ直流化回路１８とが配設されている。又、扉枠側ユニット１２におけるストライクには、扉の開閉状態を検出するモニタ信号受信手段としての扉モニタスイッチ１９が設けられている。
【００４１】
具体的に、扉モニタスイッチ１９は、閉扉したときに、扉の錠フロントに取り付けられた磁石１６の接近による磁気作用により接点が閉じて「閉扉」を示すモニタ信号を制御回路８に出力するリードスイッチで構成される。
【００４２】
発振器１７は、出力回路９から選択的に出力される高レベルの制御信号又は低レベルの制御信号を交流信号に変換して信号送信手段としての送信用コイル２０より発振出力している。
【００４３】
受信用コイル１３は、送信用コイル２０に近接して対向配置され、送信用コイル２０と電磁結合して送信用コイル２０から誘導される高レベルの制御信号又は低レベルの制御信号を受信している。
【００４４】
モニタ送信用コイル１５は、受信用コイル１３の両端に接続された線路２１に対し、施解錠モニタスイッチ７を介して結線されている。モニタ送信用コイル１５は、施解錠モニタスイッチ７が閉状態のときに、受信用コイル１３との間にループ回路を形成し、受信用コイル１３に誘導された高レベル又は低レベルの制御信号により、電気錠動作状態（施錠、解錠）に応じたモニタ信号を発振出力している。
【００４５】
更に説明すると、モニタ送信用コイル１５は、電気錠１が施錠状態のときに、施解錠モニタスイッチ７の接点が閉じて「施錠」を示すモニタ信号を出力している。これに対し、電気錠１が解錠状態のときには、施解錠モニタスイッチ７の接点が開いてモニタ信号が現れず、扉枠側に「解錠」を示している。
【００４６】
扉枠側ユニット１２において、モニタ送信用コイル１５に近接した位置には、モニタ信号受信手段としてのモニタ受信用コイル２２が対向配置されている。モニタ受信用コイル２２は、モニタ用送信コイル１５と電磁結合してモニタ用送信コイル１５から誘導されるモニタ信号を受信している。
【００４７】
モニタ直流化回路１８は、モニタ受信用コイル２２が受信したモニタ信号を直流信号に変換して制御回路８に出力している。
【００４８】
レベル判定回路１４は、入力側が受信用コイル１３の両端に接続され、出力側が電気錠１のアクチュエーター６に接続される。このレベル判定回路１４では、受信用コイル１３が受信した制御信号のレベルが設定レベル以上か否かを判定しており、制御信号のレベルが設定レベルを越えたときのみ、アクチュエーター６に対して駆動信号を出力している。
【００４９】
図２はレベル判定回路１４の具体的構成の一例を示している。図２に示すレベル判定回路１４は、受信用コイル１３の一端にアノードが接続されたダイオードＤと、ダイオードＤのカソードに接続されたｐｎｐ形の第１トランジスタＴＲ1 と、第１トランジスタＴＲ1 のベースに接続されたｎｐｎ形の第２トランジスタＴＲ2 と、第１トランジスタＴＲ1 のエミッタと第２トランジスタＴＲ2 のベースとの間に接続された第１抵抗Ｒ1 と、第１抵抗Ｒ1 と直列に第２トランジスタＴＲ2 のベースとエミッタとの間に接続された第２抵抗Ｒ2 と、第１抵抗Ｒ1 及び第２抵抗Ｒ2 と並列に接続されたコンデンサＣと、第１トランジスタＴＲ1 のベースと第２トランジスタＲＴ2 のコレクタとの間に接続された第３抵抗Ｒ3 とを備えて構成される。
【００５０】
上記構成のレベル判定回路１４では、第２トランジスタＴＲ2 のベース−エミッタ間電圧ＶBEがオンレベル以下、すなわち、入力電圧Ｅ1 ＜（Ｒ1 ＋Ｒ2 ）ＶBE／Ｒ2 のときには、第１トランジスタＴＲ1 がオフ状態なので、その出力電圧Ｅ2 ＝０となる。したがって、この場合には、アクチュエーター６に対して駆動信号が入力されないので、電気錠１が制御されることはなく、電気錠１はそれまでの状態（施錠又は解錠）を保持する。
【００５１】
これに対し、第２トランジスタＴＲ2 のベース−エミッタ間電圧ＶBEがオンレベル以上、すなわち、入力電圧Ｅ1 ＞（Ｒ1 ＋Ｒ2 ）ＶBE／Ｒ2 のときには、第１トランジスタＴＲ1 がオン状態となるので、その出力電圧Ｅ2 ≒Ｅ1 となる。したがって、この場合には、アクチュエータ６に対して駆動信号が入力されるので、電気錠１が制御されることになる。すなわち、電気錠１は、施錠状態にあれば解錠制御され、解錠状態にあれば施錠制御される。
【００５２】
次に、上記のように構成された電気錠制御装置の動作として、通電により電気錠を施解錠制御する場合を例にとって説明する。
【００５３】
電気錠１が施錠状態で閉扉のときに、制御回路８に対して入力器２から電気錠１を制御するための情報入力がなければ、制御回路８は出力回路９に対して低レベルの制御信号の出力を要求する指令を出力する。出力回路９では、制御回路８からの指令により、発振器１７に対して低レベルの制御信号を出力する。これにより、発振器１７は、出力回路９からの低レベルの制御信号を交流信号に変換して送信用コイル２０より発振出力する。
【００５４】
送信用コイル２０からの低レベルの制御信号は、電磁結合により受信用コイル１３に誘導され、レベル判定回路１４及び線路２１を介して施解錠モニタスイッチ７のそれぞれに入力される。
【００５５】
レベル判定回路１４は、受信用コイル１３から入力される制御信号が低レベルなので、制御信号のレベルが設定レベル以下と判定する。したがって、レベル判定回路１４からは電気錠１のアクチュエーター６に対して駆動信号が出力されず、電気錠１は施錠状態まま維持される。
【００５６】
施解錠モニタスイッチ７は、電気錠１が施錠状態なので、接点が閉じており、この施解錠モニタスイッチ７と受信用コイル１３との間にループ回路を形成する。その結果、モニタ送信用コイル１５からは、受信用コイル１３が受信した制御信号により、「施錠」を示すモニタ信号が送信される。
【００５７】
モニタ送信用コイル１５からのモニタ信号は、電磁結合によりモニタ受信用コイル２２に誘導され、モニタ直流化回路１８で直流信号に変換された後に制御回路８に入力される。
【００５８】
又、電気錠１が施錠状態で閉扉なので、磁石１６の磁気作用によって扉モニタスイッチ１９の接点が閉じ、「閉扉」を示すモニタ信号が制御回路８に入力される。
【００５９】
制御回路８は、「施錠」を示すモニタ信号と「閉扉」を示すモニタ信号により、電気錠１が施錠で閉扉状態にあると認識し、表示を行うための指令を表示出力回路１０に出力する。
【００６０】
表示出力回路１０は、制御回路８からの指令により、表示制御信号を表示器３に出力する。そして、表示器３は、表示出力回路１０からの表示制御信号により、「施錠」及び「閉扉」を示す表示を行う。
【００６１】
次に、施錠状態にある電気錠１を解錠するべく、入力器２より電気錠１を解錠するための情報が入力されると、制御回路８は出力回路９に対して高レベルの制御信号の出力を要求する指令を出力する。出力回路９では、制御回路８からの指令により、発振器１７に対して高レベルの制御信号を出力する。これにより、発振器１７は、出力回路９からの高レベルの制御信号を交流信号に変換して送信用コイル２０より発振出力する。
【００６２】
送信用コイル２０からの高レベルの制御信号は、電磁結合により受信用コイル１３に誘導され、レベル判定回路１４及び線路２１を介して施解錠モニタスイッチ７のそれぞれに入力される。
【００６３】
レベル判定回路１４は、受信用コイル１３から入力される制御信号が高レベルなので、制御信号のレベルが設定レベル以上と判定し、電気錠１のアクチュエーター６に対して駆動信号を出力する。これにより、アクチュエーター６が駆動され、施錠状態にある電気錠１が解錠される。
【００６４】
施解錠モニタスイッチ７は、電気錠１が施錠状態から解錠状態に切り換わるので接点が開く。その結果、モニタ送信用コイル１５からは、モニタ信号が送信されず、「解錠」を扉枠側に示す。
【００６５】
又、電気錠１が解錠状態で、扉が開けられると、磁石１６の磁気作用が扉モニタスイッチ１９に及ばなくなるため、扉モニタスイッチ１９の接点が開き、「開扉」を示すモニタ信号が制御回路８に入力される。
【００６６】
制御回路８は、モニタ送信用コイル１５からのモニタ信号の受信が無いことと、「開扉」を示すモニタ信号により、電気錠１が解錠で開扉状態にあると認識し、表示を行うための指令を表示出力回路１０に出力する。
【００６７】
表示出力回路１０は、制御回路８からの指令により、表示制御信号を表示器３に出力する。そして、表示器３は、表示出力回路１０からの表示制御信号により、「解錠」及び「開扉」を示す表示を行う。
【００６８】
ここで、電気錠１が解錠された後、人が出入りして扉が閉じられると、磁石１６の磁気作用によって扉モニタスイッチ１９の接点が再び閉じ、「閉扉」を示すモニタ信号が制御回路８に入力される。
【００６９】
これにより、制御回路８は、閉扉状態にあると認識し、表示を行うための指令を表示出力回路１０に出力する。表示出力回路１０は制御回路８からの指令により、表示器３に表示制御信号を出力し、表示器３はこの表示制御信号により、「閉扉」を示す表示を行う。
【００７０】
その後、電気錠１を施錠するべく、入力器２より電気錠１を施錠するための情報が入力されると、電気錠１を施錠するための動作が実行される。すなわち、制御回路８は出力回路９に対して高レベルの制御信号の出力を要求する指令を出力する。出力回路９では、制御回路８からの指令により、発振器１７に対して高レベルの制御信号を出力する。これにより、発振器１７は、出力回路９からの高レベルの制御信号を交流信号に変換して送信用コイル２０より発振出力する。
【００７１】
送信用コイル２０からの高レベルの制御信号は、電磁結合により受信用コイル１３に誘導され、レベル判定回路１４及び線路２１を介して施解錠モニタスイッチ７のそれぞれに入力される。
【００７２】
レベル判定回路１４は、受信用コイル１３から入力される制御信号が高レベルなので、制御信号のレベルが設定レベル以上と判定し、電気錠１のアクチュエーター６に対して駆動信号を出力する。これにより、アクチュエーター６が駆動され、解錠状態にある電気錠１が施錠される。
【００７３】
施解錠モニタスイッチ７は、電気錠１が解錠状態から施錠状態に切り換わるので、再び接点が閉じ、この施解錠モニタスイッチ７と受信用コイル１３との間にループ回路を形成する。その結果、モニタ送信用コイル１５からは、受信用コイル１３が受信した制御信号により、「施錠」を示すモニタ信号が送信される。
【００７４】
モニタ送信用コイル１５からの「施錠」を示すモニタ信号は、電磁結合によりモニタ受信用コイル２２に誘導され、モニタ直流化回路１８で直流信号に変換された後に制御回路８に入力される。
【００７５】
制御回路８は、「施錠」を示すモニタ信号と「閉扉」を示すモニタ信号により、電気錠１が施錠で閉扉状態にあると認識し、表示を行うための指令を表示出力回路１０に出力する。
【００７６】
表示出力回路１０は、制御回路８からの指令により、表示制御信号を表示器３に出力する。そして、表示器３は、表示出力回路１０からの表示制御信号により、「施錠」及び「閉扉」を示す表示を行う。
【００７７】
尚、上述した動作では、電気錠１に対して通電がなされたときに電気錠１の施解錠制御がなされる通電時施解錠型の電気錠に適用した場合を例にとって説明したが、通電時に施錠する通電時施錠型や通電時に解錠する通電時解錠型の電気錠は勿論のこと、電気錠に対して瞬時の通電がなされたときに電気錠の施解錠制御がなされる瞬時通電施解錠型、瞬時の通電により施錠する瞬時通電施錠型、瞬時の通電により解錠する瞬時通電解錠型の電気錠にも適用することができる。
【００７８】
従って、上記実施の形態によれば、電気錠制御器４は、電気錠１側からのモニタ信号を通電ユニット５を介して常時無配線により受信することができる。その結果、上述した動作で説明した通電時施解錠型の電気錠に限らず、種々のタイプの電気錠（通電時施錠型、通電時解錠型、瞬時通電施解錠型など）の電気錠に関しても無配線で制御が行え、制御可能な電気錠の汎用性が拡がる。
【００７９】
その際、扉内に設けられる電気錠１は、標準装備した既製のものをそのまま使用することができる。又、電気錠制御器４と電気錠１とは、扉側ユニット１１と扉枠側ユニット１２とに分離して配設された非接触型の通電ユニット５を介して通電され、電気錠制御器４と電気錠１との間で送受される信号も単純なオン・オフ又は高低のレベルのみなので、従来のように、複雑なデータの処理回路（例えばＣＰＵによる処理）が不要であり、扉と扉枠との間に配線が通ることもなく、その施工の手間が省けるとともに、扉の美観を損なうこともない。
【００８０】
ところで、上記実施の形態において、電気錠１に設けられる施解錠モニタスイッチ７は、１つのスイッチ、すなわち、電気錠１が施錠状態のときに接点が閉じ、電気錠１が解錠状態のときに接点が開く構成のものを図示して説明したが、更に複数のモニタ信号が必要な場合には、受信用コイル１３に接続されるモニタ回線（線路）を複数設けて各モニタ回線に錠モニタスイッチを接続するか、モニタ信号のレベルを複数にすればよい。その他、図３に示す構成のモニタ信号送信手段を採用することもできる。
【００８１】
図３に示すモニタ信号送信手段は、電気錠制御器４からの制御信号を整流器２５で直流化して電源とし、データ変換器２６に接続された複数の施解錠モニタスイッチ７からの信号をデータ変換器２６でシリアルデータに変換した後、１回線で電気制御器４に送信している。尚、電気錠１と電気錠制御器４との間におけるモニタ信号の送受は、電磁結合や光結合により無配線で行われる。この構成によれば、形状的にも大きな制御回路が不要なので、従来に比べて装置の小型安価が図れる。
【００８２】
又、図１の例では、モニタ送信用コイル１５とモニタ受信用コイル２２との間の電磁結合によりモニタ信号の送受を行う構成としたが、モニタ送信用コイル１５に代えてフォトダイオードを接続し、モニタ受信用コイル２２に代えてフォトトランジスタを接続する構成とすれば、モニタ信号の送受を光結合により行うことができる。
【００８３】
【発明の効果】
以上の説明で明らかなように、本発明によれば、電気錠制御器は、電気錠側からのモニタ信号を常時無配線により受信することができる。その結果、種々のタイプの電気錠の制御を無配線で行うことができる。
【００８４】
その際、扉内に設けられる電気錠は、標準装備した既製のものをそのまま使用することができる。又、電気錠制御器と電気錠とは、扉側と扉枠側とに分離された非接触型の通電ユニットを介して通電され、電気錠制御器と電気錠との間で送受される信号も単純なオン・オフ又は高低のレベルのみなので、従来のように、複雑なデータの処理回路が不要であり、扉と扉枠との間に配線が通ることもなく、その施工の手間が省けるとともに、扉の美観を損なうこともない。
【図面の簡単な説明】
【図１】本発明による電気錠制御装置の一実施の形態を示すブロック構成図
【図２】同電気錠制御装置におけるレベル判定回路の具体的構成を示す図
【図３】同電気錠制御装置におけるモニタ信号送信手段の他の構成を示す図
【図４】従来の電気錠制御装置の一例を示す図
【符号の説明】
１…電気錠、２…入力器、３…表示器、４…電気錠制御器、５…通電ユニット、７…施解錠モニタスイッチ、８…制御回路、９…出力回路、１０…表示出力回路、１１…扉側ユニット、１２…扉枠側ユニット、１３…受信用コイル、１４…レベル判定回路、１５…モニタ送信用コイル、１６…磁石、１７…発振器、１８…モニタ直流化回路、１９…扉モニタスイッチ、２０…送信用コイル、２１…線路、２２…モニタ受信用コイル。
【図１】
0003993265.tif 000002
【図２】
0003993265.tif 000003
【図３】
0003993265.tif 000004
【図４】
0003993265.tif 000005